(57)【要約】      （修正有）【課題】病室を出入する医療従事者の手指の消毒率を向上させるために、一定期間の消毒率を消毒液の近傍に表示する装置を提供する。【解決手段】消毒率表示装置が、通過検知装置２と消毒検知装置４と表示装置６とを含み、前記通過検知装置が、手指衛生領域の移動体の通過を検知し、前記消毒検知装置が、消毒液吐出手段に取り付けられて、該消毒液吐出手段の作動を検知し、前記表示装置が、前記通過検知装置からの信号を受信して移動体の通過数を記憶し、前記消毒検知装置からの信号を受信して消毒回数を記憶し、前記消毒回数の前記通過数に対する比を求めることにより消毒率を計算するようになっている計算手段と、表示器とを有する。【選択図】図１
0003113835.tif 000002
【実用新案登録請求の範囲】
【請求項１】
通過検知装置と消毒検知装置と表示装置とを含む消毒率表示装置において、
前記通過検知装置が、手指衛生領域を移動体が通過すると信号を前記表示装置に発信するようになっており、
前記消毒検知装置が、消毒液吐出手段に取り付けられて、該消毒液吐出手段が作動されると、信号を前記表示装置に発信するようになっており、
前記表示装置が、前記通過検知装置からの信号を受信して移動体の通過数を記憶し、前記消毒検知装置からの信号を受信して消毒回数を記憶し、前記消毒回数の前記通過数に対する比を求めることにより消毒率を計算するようになっている計算手段と、表示器とを有することを特徴とする消毒率表示装置。
【請求項２】
前記手指衛生領域が病院の病室の出入口である請求項１に記載された消毒率表示装置。
【請求項３】
前記通過検知装置が、赤外線センサを有する人体検知センサである請求項１または請求項２に記載された消毒率表示装置。
【請求項４】
前記消毒検知装置が赤外線センサを有する請求項１から請求項３までのいずれか１項に記載された消毒率表示装置。
【請求項５】
前記表示器が、前記通過数、前記消毒回数および前記消毒率を表示するようになっている請求項１から請求項４までのいずれか１項に記載された消毒率表示装置。
【請求項６】
前記通過検知装置と前記表示装置、前記消毒検知装置と前記表示装置がそれぞれ電線で結合され、前記通過検知装置および前記消毒検知装置から前記表示装置への送信が電線を介して行われるようになっている請求項１から請求項５までのいずれか１項に記載された消毒率表示装置。
【請求項７】
前記表示装置が電源部を有し、前記電源部が乾電池を収容するようになっている請求項１から請求項６までのいずれか１項に記載された消毒率表示装置。
【請求項８】
前記表示装置が表示スイッチを有し、該表示スイッチを入れると所定時間だけ前記表示器が作動するようになっている請求項１から請求項７までのいずれか１項に記載された消毒率表示装置。
【考案の詳細な説明】
【技術分野】
【０００１】
本考案は、手指衛生領域を出入する者の手指の消毒率を表示する装置に関するものである。とりわけ、本考案は、病室の出入口に設置された消毒手段を使用する消毒率を表示する装置に係るものである。
【背景技術】
【０００２】
近年、院内感染による入院患者等の羅患や死亡が問題となっている。医師や看護師等の医療従事者を媒介して患者から患者へ病原菌が感染することがこの院内感染の重大な原因であることが知られており、医療従事者が患者と接する前後に手指の消毒を行うことが、院内感染の最も重要な予防方法である。そのため、病室の出入口には、消毒液が設置され、病室の入室および退室時に手指の消毒が義務付けられている。消毒液は、アルコール等の溶液を手指に擦り込み、それにより病原菌を死滅させて、手指の消毒を行うものである。
【０００３】
このように、手指の消毒が院内感染の予防に重要なことはよく知られていても、病室への入出時の手指の消毒の実施は煩雑であり、多忙な医療従事者が手指の消毒を怠ることが多い。
【考案の開示】
【考案が解決しようとする課題】
【０００４】
本考案は、各病室に出入する医療従事者の手指の消毒率を向上させることを目的としている。本考案者は、病室の入口付近に、各病室への医療従事者の手指の消毒率を表示すると、医療従事者の注意を喚起し、手指の消毒率が向上するものと考えた。また、各病室毎のデータを表示することにより各病室担当者間の競争意識を刺激して手指の消毒率が向上することも考えられる。更に、手指の消毒率データを採取することにより、手指の消毒率向上のための対策を講じやすくなる。そこで、本考案は、各病室の出入口付近に置かれた消毒液の近くに設置できる手指の消毒率を表示するための装置を提供する。
【課題を解決するための手段】
【０００５】
本考案の一観点によれば、通過検知装置と消毒検知装置と表示装置とを含む消毒率表示装置において、通過検知装置が、手指衛生領域を移動体が通過すると信号を表示装置に発信するようになっており、消毒検知装置が、消毒液吐出手段に取り付けられて、消毒液吐出手段が作動されると、信号を表示装置に発信するようになっており、表示装置が、通過検知装置からの信号を受信して移動体の通過数を記憶し、消毒検知装置からの信号を受信して消毒回数を記憶し、消毒回数の通過数に対する比を求めることにより消毒率を計算するようになっている計算手段と、表示器とを有することを特徴とする消毒率表示装置である。この装置は、各病室の入口付近に設置することができ、誰でも手指の消毒率を見ることができる。また、この装置は、小型かつ簡便な装置であるため、病院内の多数の病室に設置することができる。
【０００６】
表示器は、例えば、通過数、消毒回数及び消毒率を表示するようになっている。通過数とは、所定期間に手指衛生領域を移動体が通過する延べ回数であり、消毒回数は前記期間内に消毒液を収容した消毒液吐出手段が作動された回数、すなわち消毒が行われた回数である。消毒率は、前記消毒回数を前記通過数で割った値であり、好ましくはパーセントで示される。ここで移動体は好ましくは手指衛生領域を移動する人である。
【０００７】
なお、手指衛生領域とは、その領域を通過する者または通過する一部の者が手指の消毒を行うことが必要な領域である。手指衛生領域は、病院の病室の出入口であることが好ましい。
装置を小型かつ簡便なものとするために、通過検知装置は赤外線センサを使った人体検知センサであることが好ましく、また、消毒検知装置も赤外線センサを用いることが好ましいが、その他のセンサや装置を使用することもできる。
【０００８】
通過検知装置および消毒検知装置から表示装置への送信は、どのような方法でも可能である。しかし、装置の小型化および簡便化のためには、通過検知装置と表示装置、消毒検知装置と表示装置とのがそれぞれ電線で結合され、通過検知装置および消毒検知装置から表示装置への送信が電線を介して行われるようになっていることが好ましい。
【０００９】
表示装置が乾電池を収容する電源部を有し、消毒率表示装置が電池の電力により作動するようになっていることが好ましい。この構成により、消毒率表示装置は小型化され、また、電気コンセントが近くにない場合でも各病室の入口に設置できる。
【００１０】
表示装置が更に表示スイッチを有し、該表示スイッチを入れると所定時間だけ表示器が作動するようになっていることが好ましい。消毒率の測定は、数日から数か月に亘って行われるところ、本装置を乾電池で作動させると、電池が消耗して取替えが必要になることも考えられる。本構成によれば、必要な場合のみ情報を表示させることができるので、電池の消耗を抑えることが可能である。表示スイッチを入れた後、情報を表示させる時間は、３〜３０秒が好ましいが、その他の時間でもよい。
【００１１】
なお、本考案の他の観点によれば、病室の出入口を通過する移動体を検出する赤外線センサからの信号を積算して、通過数を記憶する段階と、消毒液吐出手段に取り付けた赤外線センサからの信号を積算して、消毒回数を記憶する段階と、前記消毒回数を前記通過数で除することにより、消毒率を算出する段階と、前記消毒率を表示する段階とを含む、手指の消毒率を表示する方法が提供される。
【実施例】
【００１２】
以下において、本考案の実施例を、図面を参照して説明する。
図１は、本考案の消毒率表示装置の実施の一形態を示す。本消毒率表示装置１は、病室を出入する医師および看護師等の医療従事者の手指消毒を実行する割合を表示する装置に関するものである。本装置は、表示装置６を含み、表示装置６は、通過検知装置２および消毒検知装置４に、電線１２，１３で接続されており、通過検知装置２および消毒検知装置４からの信号を受信するようになっている。
【００１３】
通過検知装置２は、赤外線センサによる人体検知センサを使用している。このセンサは、人体が発する微弱な赤外線を集光し、デュアル素子型の赤外線センサおよび増幅器等により、センサ視野を人が横切ると出力を電線１３を介して表示装置６に送信するようになっている。赤外線センサは、日本セラミック株式会社製焦電型センサーを用いた。
【００１４】
消毒検知装置４は、赤外線センサであり、消毒液ボトル（消毒液吐出手段）２０に取り付けられてその使用回数を検出する。図１では、消毒液ボトル２０は、手押し式ポンプ２６と容器２２とから構成され、手押し式ポンプ２６の頭部２８を掌で押し下げると、頭部２８に取り付けられたノズル３０の先端から一定量の消毒液が吐出される。手押し式ポンプ２６の頭部２８から掌を離すと頭部２８は弾性手段により上昇し、元の位置に戻る。使用者は、片手で頭部２８を押し下げ、他方の手でノズル３０の先端から吐出される消毒液を受け、両手で消毒液を摺りあわせて手指の消毒を行う。
消毒液ボトルの手押しポンプを押し下げる手段は、掌を使用する他に、器具や装置を取り付けて用いてもよい。例えば、赤外線センサ付非接触式自動押し下げ装置を用いてもよい。この装置は、両手または片手をノズルの下に差し出すと、赤外線センサが手の存在を検知して、アームを作動させてポンプの頭部を自動的に押し下げるようになっている装置である。該自動押し下げ装置を用いても、以下の説明と同様に、消毒検知装置４を取り付けることができる。本考案に係る消毒率表示装置は、消毒液を吐出するために手押し式ポンプを押し下げる手段に関わらず適応可能である。
【００１５】
消毒検知装置４は、赤外線放射部１０と赤外線検出部１１とからなり、赤外線放射部１０から赤外線が赤外線検出部１１に向けて放射されている。消毒検知装置４は、容器２２への手押し式ポンプ２６の装着部品（ボトルの内容液を吸い上げるパイプが貫通したネジ式キャップ）２４の縁辺部に設置され、手押し式ポンプの頭部２８が押し下げられると、頭部２８の外周縁部が、赤外線放射部１０と赤外線検出部１１との間を通過して、赤外線検出部１６へ到達する赤外線を遮る。そうすると、赤外線検出部１１は電気信号を発生して、電線１２を介して該信号が表示装置６に発信される。
【００１６】
表示装置６は、回路部と表示器とを含む。表示装置の機能を、図２を参照して説明する。計算手段（回路部）は演算処理部（ＣＰＵ）１４およびメモリ１５から成り、メモリ１５には、通過検知装置２からの信号の累計数、すなわち「通過数」を記憶するとともに、消毒検知装置４からの信号の累計数、すなわち「消毒回数」を記憶している。通過検知装置２からの信号が演算処理部１４に入力されると、演算処理部１４はメモリに記憶された通過数に１を加えて、再び演算処理部１４に通過数を記憶させる。同様に、消毒検知装置４からの信号が演算処理部１４に入力されると、演算処理部１４はメモリに記憶された消毒回数に１を加えて、再びメモリ１５に通過数を記憶させる。
【００１７】
表示装置６は、更に、リセットスイッチ８および表示スイッチ９を有する。リセットスイッチを８入れると、通過数および消毒回数が、ゼロに設定され、それ以後の受信した信号を累計した通過数および消毒回数がメモリに記憶される。表示スイッチ９を入れると、表示器７が作動して、所定時間だけ情報を表示する。表示器７は、液晶表示器が好ましいが、他の表示器を使用することもできる。表示器７には、通過数、消毒回数、および消毒回数を通過数で割った値である消毒率（消毒回数／通過数）を表示できる。表示器は、３行に亘って表示可能であり、上から順に、通過数、消毒回数および消毒率が表示される。
【００１８】
図３は、本考案に係る消毒率表示装置１は病室の出入口への設置の一例を示す。病室と廊下を仕切る壁の出入口近傍に消毒液を収容した消毒液ボトル２０が設置され、消毒液ボトル２０には、消毒検知装置４が取り付けられている。出入口の柱に出入口を向けて通過検知装置２が取り付けられて、人の通過を検知する。通過検知装置２は出入口の上方等、出入口の構造や病室の間取りに応じてどのような配置に設置することも可能である。表示装置６は消毒液ボトル２０の近くの壁に取り付けられている。表示装置６は人の目に触れやすい場所であればどこに設置してもよい。表示装置６と通過検知装置２および消毒検知装置４とは、電線１２，１３で接続されているので、これらは互いに近接した場所に設置することが望ましい。
【００１９】
消毒率表示装置は、一定期間の手指の消毒率を消毒液吐出手段の近傍で表示することにより、医療従事者に手指消毒励行の意識を喚起する。本装置は、小型かつ簡便であるので、多数の病室に設置することができる。そのため、各病室毎に消毒率が表示されるので、各行室担当医療従事者の競争心を励起して更に手指の消毒率の向上に資することができる。
【図面の簡単な説明】
【００２０】
【図１】本考案に係る消毒率表示装置の構成を示す模式図。
【図２】本考案に係る消毒率表示装置の構成を示すブロック図。
【図３】本考案に係る消毒率表示装置の設置の一例を示す図。
【符号の説明】
【００２１】
１  消毒率表示装置
２  通過検知装置
４  消毒検知装置
６  表示装置
７  表示器
８  リセットスイッチ
９  表示スイッチ
１０  赤外線放射部
１１  赤外線検出部
１２，１３  電線
１４  演算処理部
１５  メモリ
【図１】
0003113835.tif 000003
【図２】
0003113835.tif 000004
【図３】
0003113835.tif 000005